(57)【特許請求の範囲】
【請求項１】
第一階層に属する複数の項目群から１つの項目群を選択するための選択操作を受け付ける第１操作受付手段と、
前記第１操作受付手段による前記選択操作を受け付けると、前記複数の項目群を構成する第二階層に属する複数の項目の中から、選択された項目群に対応する複数の項目をモニター部に表示する表示手段と、
前記複数の項目群を構成する第二階層に属する複数の項目から１つの項目を選択するための所定操作を受け付ける第２操作受付手段と、 選択された項目から制御データを決定する決定手段と
該制御データに基づいて機器本体の動作制御を行う動作制御手段と、
前記表示手段による表示中に、前記所定操作が第１操作形態でなされたとき、現在選択されている項目群に対応する第二階層の複数の項目から１つの項目を選択可能とさせ、該所定操作が第２操作形態でなされたとき、前記選択操作を受け付けることなく現在選択されていない項目群に対応する第二階層の複数の項目の中から１つの項目を選択可能とさせる制御を行う制御手段を備える、情報表示装置。
【請求項２】
前記第１操作形態は該所定操作が非連続的に行われる形態であり、前記第２操作形態は該所定操作が連続的に行われる形態であることを特徴とする、請求項１記載の情報表示装置。
【請求項３】
前記第１操作形態における所定操作は短時間操作であり、前記第２操作形態における所定操作は長時間操作であることを特徴とする、請求項１または２記載の情報表示装置。
【発明の詳細な説明】
【技術分野】
【０００１】
本発明は、情報表示装置に関し、特に例えばメニュー表示で使用者に所望の項目を選択させる機能を備える電子カメラにおいて、使用者の操作に応じたメニュー表示の制御を行う情報表示装置に関する。
【背景技術】
【０００２】
従来の電子カメラにおいて、使用者にとって所望の撮像条件（解像度、ＡＥ値やＩＳＯなど）に設定するには、撮像設定メニュー（連続再生や画像回転など）をモニタに表示し、表示されている項目から使用者が所望の項目を選択することによって設定される。また、所望の再生条件に設定するには、再生設定メニューをモニタに表示し、表示されている項目から使用者が所望の項目を選択することによって設定される。
【０００３】
近年、使用者に対し選択設定できる撮像条件および再生条件が増加しているものの、モニタに表示できる項目の数量が限られているため、しばしば項目を階層構造にて画面に表示し、使用者による複数回の選択操作によって、所望の項目を選択させ、選択されたメニュー項目に従って撮像条件および再生条件を設定している。
【０００４】
上位階層および下位階層で構成される階層構造のメニュー項目から、所望の撮像条件を設定する電子機器が特許文献１に開示されている。
【特許文献１】特開２００５−１７５６１６号公報
【発明の開示】
【発明が解決しようとする課題】
【０００５】
しかしながら、従来技術１において所望の撮像条件を設定するためには、まず上位の階層のメニューからこれから設定したい項目が入っているであろう上位項目を選択し、選択した上位項目に含まれる項目を選択することによって、撮像条件が設定できる状態となる。しかしながら、不慣れな使用者にとっては、設定したい項目が含まれる上位項目を認識していない場合がある。すると、設定したい項目にたどりつくまでに、何回も上位項目を選択しその上位項目に含まれる項目を見て、所望の項目が含まれていない場合には、再び別の上位項目を選択する、といったような動作を繰り返さなくてはならなくなる。
【０００６】
本発明は、上記の問題点を解決するもので、特に例えば、より簡単にまたは迅速に、使用者の所望の項目に到達させる情報表示装置を提供することである。
【課題を解決するための手段】
【０００７】
請求項１の情報表示装置は、第一階層に属する複数の項目群から１つの項目群を選択するための選択操作を受け付ける第１操作受付手段と、第１操作受付手段による選択操作を受け付けると、複数の項目群を構成する第二階層に属する複数の項目の中から、選択された項目群に対応する複数の項目をモニター部に表示する表示手段と、複数の項目群を構成する第二階層に属する複数の項目から１つの項目を選択するための所定操作を受け付ける第２操作受付手段と、選択された項目から制御データを決定する決定手段と、該制御データに基づいて機器本体の動作制御を行う動作制御手段と、所定操作が第１操作形態でなされたとき、現在選択されている項目群に対応する第二階層の複数の項目から１つの項目を選択可能とさせ、該所定操作が第２操作形態でなされたとき、選択操作を受け付けることなく現在選択されていない項目群に対応する第二階層の複数の項目の中から１つの項目を選択可能とさせる制御を行う制御手段を備えることを特徴とする。
【０００８】
これによると、所定操作が第１操作形態でなされたときには現在選択された項目群に対応する第二階層の複数の候補データの中で選択可能となり、所定操作が第２操作形態でなされたときには、現在選択された項目群と現在選択されていない項目群に対応する第二階層の候補データを選択可能となるため、使用者の使用状況にあわせて、所望の項目に迅速に到達させることができる。
【０００９】
請求項１に従う請求項２の情報表示装置は、請求項１の情報表示装置において、第１操作形態は設定操作が非連続的に行われる形態であり、第２操作形態は所定操作が連続的に行われる形態であることを特徴とする。
【００１０】
これによると、使用者は操作設定を非連続的に操作するか連続的に操作するかによって、選択可能な項目が変更されるため、使用者にとってより簡単な操作で所望の項目に到達させることができる。
【００１１】
請求項１または２に従う請求項３の情報表示装置は、請求項１または２の情報表示装置において、第１操作形態における所定操作は短時間操作であり、第２操作形態における所定操作は長時間操作であることを特徴とする。
【００１２】
これによると、使用者は短時間操作するか長時間操作するかによって、選択可能な項目が変更されるため、使用者にとってより簡単な操作で所望の項目に到達させることができる。
【発明の効果】
【００１３】
この発明によれば、より簡単にまたは迅速に、使用者の所望の項目に到達させる情報表示装置を提供することができる。
【発明を実施するための最良の形態】
【００１４】
本実施例においては、情報表示装置の１つの例として、電子カメラ１０の形態を説明する。
【００１５】
電子カメラ１０の外観図を図１および図２に示す。図１（ａ）〜（ｃ）は電子カメラ１０の前面を示す斜視図であり、図２（ａ）、（ｂ）は電子カメラ１０の背面を示す斜視図である。
【００１６】
図１および図２に示すように、電子カメラ１０は、少なくともレンズ２を含む撮像部１４、モニター部４ａおよびメニュー切替スイッチ１２を含むファインダー部４、ヒンジ部６、操作ボタン８ａ〜８ｅ、スピーカ５０、マイクロホン５２およびストロボ発光部６０を備える。
【００１７】
図１（ａ）は、モニター部４ａおよびメニュー切替スイッチ１２が露出しないように、ファインダー部４が、撮像部１４を有する本体機器に収納されている状態を示した図である。通常、使用者はこのような形で撮像操作は行わない。図１（ｂ）は２軸のヒンジ部６を介して、ファインダー部４を矢印Ａ方向に回動させて、本体機器に対してモニター部４ａが略垂直に位置する状態を示しており、図１（ｃ）は図１（ｂ）の状態から更にヒンジ部６を軸にファインダー部４を矢印方向Ｂに回動させて、本体機器のレンズ２に対してモニター部４ａが略平行に位置する状態を示している。
【００１８】
図２（ａ）、（ｂ）は、図１（ｃ）の背面を示しており、メニュー切替スイッチ１２はモニター部４ａの近傍に上下の２位置（Ｘ、Ｙ）にスライド可能に配設されている。モニター部４ａは、再生画像及びスルー画像（撮像画像）を表示し、使用者にとってファインダーと同様の役割を果たす。図２（ａ）に示すように、メニュー切替スイッチ１２がＹ位置（下位置）の状態にあるときは、後述する撮像メニューおよび再生メニューの設定を簡単に操作させるシンプルメニューモードになり、メニュー切替スイッチ１２がＸ位置（上位置）の状態にあるときは、後述する通常のメニュー設定操作を行わせるノーマルメニューモードになる。
【００１９】
操作部８を構成する８ａ〜８ｅを詳しく説明すると、８ａは撮影モードおよび再生モードのいずれかに動作モードを切り替える撮影／再生切替スイッチである。８ａをＰ位置（上位置）に移動させると撮影モードに設定され、Ｑ位置（下位置）に移動させると再生モードに設定される。８ｂは押下されることによって撮像部１４の動画撮像処理を開始する動画撮像スタートボタンであり、８ｃは静止画像撮像処理を指示する静止画撮像ボタンである。８ｄはメニューボタンであり、押下されることによってモニター部４ａに選択可能なメニュー設定項目等が表示される。８ｅは上下左右４方向に手動操作されることにより、４方向のいずれかに傾いた状態となり、手動操作を解除すると傾いた状態から元の中立位置に戻るように構成されたカーソルキーであり、この４方向のいずれかの方向に操作することで、モニター部４ａ内に表示される項目等を選択指示することができる。このカーソルキー４ｅの４方向の中心部は、セットキーを兼用しており、４方向の中立位置にある際に押下されることによりセット動作が為され、項目等を決定し選択決定された項目が設定される。
【００２０】
次に図１および図２で示した電子カメラ１０内部のブロック図である図３を用いて、電子カメラの動作を更に詳細に説明する。
電子カメラ１０は、撮像レンズ２、モニター４ａ、操作部８、メニュー切替スイッチ１２、絞り機構１４、ＣＭＯＳイメージセンサ１６、撮像処理部１８、ＳＤＲＡＭ２０、ＣＰＵ２２、圧縮・伸張処理部２４、カード制御部２６、メモリカード２８、ビデオエンコーダ３０、スピーカ５０、マイクロホン５２、音声処理部５４、スピーカアンプ５６、ストロボ発光部６０およびストロボ回路６２を備えて構成されている。
【００２１】
撮像レンズ２は、被写体の光学像を撮像デバイスであるＣＯＭＳイメージャ１６の撮像面上に結像させる。また、撮像レンズ２はＣＭＯＳイメージセンサ１６の出力信号に基づいて光軸方向の移動を調節する。絞り機構１４は、制御されることにより撮像レンズ２よりＣＭＯＳイメージセンサ１６に入る光を調節する。これらの撮像レンズ２および絞り１４の調節は図示しないモータ駆動部で行われる。
【００２２】
ＣＭＯＳイメージセンサ１６から出力されたアナログ撮像信号は、撮像処理部１８によってさまざまな処理が行われ、結果的に輝度信号であるＹ信号および色差信号であるＵ、Ｖ信号に変換される。
【００２３】
ＣＰＵ２２は、操作部８、メニュー切替スイッチ１２、撮像処理部１８、ＳＤＲＡＭ２０、圧縮・伸張処理部２４、カード制御部２６、ビデオエンコーダ３０、音声処理部５４、スピーカアンプ５６およびストロボ回路６２に接続される。ＣＰＵ２２は、図示しない内部メモリに格納されているプログラムに従って、撮像処理部１８、ＳＤＲＡＭ２０、圧縮・伸張処理部２４、カード制御部２６、ビデオエンコーダ３０、音声処理部５４、スピーカアンプ５６およびストロボ回路６２の制御を行う。
【００２４】
次に、操作部８が操作されることによる電子カメラ１０の動作の説明をする。上述したように、操作部８は、各種ボタンまたはキー８ａ〜８ｅで構成される。
ＣＰＵ２２は撮影／再生切替スイッチ８ａがＰ位置に移動されて撮影モードにあるとき、モニター部４ａ上にスルー画像を出力する。そして、動画撮像スタートボタン８ｂまたは静止画撮像ボタン８ｃが押下されることによって、ＣＰＵ２２は動画像撮像処理または静止画像撮像処理を実行する。ここで、静止画像ボタン８ｃにより撮像操作を行う場合に、撮像条件であるフラッシュのモードに応じて、ストロボ発光部６０が発光する。撮像された動画像および静止画像は、圧縮・伸張処理部２４にて、動画用のＨ２６４コーデックまたは静止画用のＪＰＥＧコーデックによって圧縮され、ＣＰＵ２２はカード制御部２６を制御することによって圧縮された動画像データまたは静止画像データを動画像ファイルまたは静止画像ファイルとしてメモリカード２８に記録する。ＳＤＲＡＭ２０はこのような撮像処理を行う際に、一時的にデータを格納する等に使用されている。
【００２５】
また、操作部８により音声録音設定が為されていたときには、マイクロホン５２から音声を取り込み、音声信号処理部５４によってデジタル音声データに変換され、圧縮・伸張処理部２４にて圧縮されて音声ファイルとしてメモリカード２８に記録される。
【００２６】
そして、撮影／再生切替スイッチ８ａがＱ位置に移動され、再生モード状態にあるとき、ＣＰＵ２２はモニター部４ａ上にメモリカード２８に記録されている動画像ファイルまたは静止画像ファイルを再生する。または、スピーカ５０に音声ファイルに再生出力する。具体的には、メモリカード２８に記録されている動画像ファイル、静止画像ファイルまたは音声ファイルが使用者によって選択され、選択されたファイルは圧縮・伸張処理部２４で伸張処理され、図示しないＤ／Ａ変換器によりアナログ画像信号またはアナログ音声信号に変換され、ビデオエンコーダ３０にて出力用画像信号の生成またはスピーカアンプ５６にて音声信号にアンプ処理され、モニター部４ａまたはスピーカ５０に表示または出力される。
【００２７】
さて、上述した撮像操作および再生操作の際に、使用者は所望の撮像条件および再生条件に設定することができる。具体的には、メニュー切替スイッチ１２をＸ位置またはＹ位置に移動させ、メニューボタン８ｄを押下することによってモニター部４ａ上にメニュー画面の表示を行う。使用者は所望の撮像条件および再生条件に合うような各項目に所望の設定を行なうためにカーソルキー８ｅを４方向に操作し、中心部を押下してセット決定することによって、各種設定が為される。
【００２８】
以下に、図４、図５を参照して、メニュー設定操作について詳しく説明する。
【００２９】
使用者が撮影モード中にメニュー切替スイッチ１２をＸ位置に移動させ、メニューボタン８ｄを押下すると、モニター部４ａに図１０に示すノーマルメニューモードにおける撮影メニュー選択画面の表示が行われる。ノーマルメニューモードにおける撮影メニューの選択項目は、近年の電子カメラにおいて、通常に用意されている選択項目である。
ここで、撮影モードにおけるノーマルメニューモードでは、多くの項目が用意されているため、モニター部４ａの１画面では、それらの項目の全てを一括表示することは難しい。そこで、３個のメニュー画面（撮影メニュー（１）〜撮影メニュー（３））に分割表示できるように構成され、使用者が撮影メニュー（１）〜撮影メニュー（３）のいずれかを、カーソルキー８ｅの操作で選択可能となっている。
以下に、撮影メニュー（１）〜（３）について詳述する。撮影メニュー（１）の画面には、図９（ａ）に示すように、メニュー項目として「動画」、「静止画」、「シーンセレクト」、「フィルター」、「フラッシュ」、「セルフタイマー」の６項目が用意されている。この図９（ａ）の状態から、カーソルキー８ｅの中央部を押下げてセット操作すると、「動画」の項目でのモード設定状態となる。
【００３０】
「動画」項目の設定モードとして、図９（ｂ）に示すように、１９２０×１０８０の解像度でフレームレート６０フィールド／ｓｅｃのＦＵＬＬ−ＨＱモード、１２８０×７２０の解像度でフレームレートが６０フレーム／ｓｅｃのＨＤ−ＨＲモード、１２８０×７２０の解像度でフレームレートが６０フレーム／ｓｅｃのＨＤ−ＳＨＱモード、解像度が６４０×４８０でフレームレートが６０フレーム／ｓｅｃのＴＶ−ＨＲモード、解像度が６４０×４８０でフレームレートが３０フレーム／ｓｅｃのＴＶ−ＳＨＱモード、解像度が３２０×２４０でフレームレートが３０フレーム／ｓｅｃのｗｅｂ―ＳＨＱモード、音声のみの記録を行なう音声メモモードの７モードの中から１つをカーソルキー８ｅの下方向の操作及びセット操作により選択可能である。尚、ｗｅｂ−ＳＨＱモード及び音声メモモードは図９（ｂ）には表示されていないが、これはモード数が多いために一括表示ができないためであり、カーソルキー８ｅの下方向の操作により画面をスクロールして表示することができる。ここで、解像度が１９２０×１０８０のＦＵＬＬ−ＨＱモード、１２８０×７２０のＨＤ−ＨＲモード及びＨＤ−ＳＨＱモードは、共に画面のアスペクト比が１６：９の所謂ハイビジョン画像に対応したものであり、解像度が６４０×４８０のＴＶ−ＨＲモード及びＴＶ−ＳＨＱモードは共に画面のアスペクト比が４：３の通常のＴＶ画像に対応したものである。更に、解像度が３２０×２４０のｗｅｂ―ＳＨＱモードは、パーソナルコンピュータにおいてブログを作成する際に手軽にファイルを作成することを念頭において用意されたモードである。
【００３１】
カーソルが最上位置の「動画」にある図９（ａ）のメニュー表示からカーソルキー８ｅを下方向に操作すると、図９（ｃ）に示すようにカーソルが「静止画」の項目に移動する。この「静止画」項目は、設定できるモードとして、図９（ｄ）に示すように、撮影された静止画の解像度が３２６４×２４４８の８ＭＢファイルサイズとなる８Ｍモード、解像度が２２８８×１７１２でファイルサイズが４Ｍで低圧縮率の４Ｍ−Ｈモード、同様に解像度が２２８８×１７１２で４Ｍ−Ｈモードよりも高い圧縮率で圧縮され、ファイルサイズが４ＭＢの４Ｍ−Ｓモード、解像度が２４９６×１４０８でファイルサイズが３．５ＭＢとなる３．５Ｍモード、解像度が１９２０×１０８０でファイルサイズが２ＭＢとなる２Ｍモード、解像度が１６００×１２００でファイルサイズが２ＭＢとなる２Ｍ（Ｂ）モード、解像度が１２８０×７２０でファイルサイズが０．９ＭＢとなる０．９Ｍモード、解像度が６４０×４８０でファイルサイズが０．３ＭＢとなる０．３Ｍモード、連写モードの９モードの中から１つをカーソルキー８ｅの操作により選択可能である。尚、２Ｍ（Ｂ）モード、０．９Ｍモード、０．３Ｍモード及び連写モードは、図９（ｄ）には表示されていないが、これはモード数が多いために一括表示ができないためであり、カーソルキー８ｅの下方向の操作により画面をスクロールして表示することができる。ここで、３．５Ｍモードや２Ｍモードはアスペクト比が１６：９でハイビジョンに対応しており、４Ｍ−Ｓモード、４Ｍ−Ｈモード、２Ｍ（Ｂ）モードはアスペクト比が略４：３で通常のＴＶ画像に対応したものである。更に、０．３Ｍモードはアスペクト比は４：３を維持しながら、ファイルサイズは他に比べて小さく、ブログ等に手軽に使用できるサイズとなっている。
【００３２】
尚、本実施例の各図の各メニューの遷移において“ＳＥＴ”と記載されているのは、カーソルキー８ｅのセット操作を、“ＭＥＮＵ”はメニューボタン８ｄの押下げ操作を、△はカーソルキー８ｅの上方向操作、▽はカーソルキー８ｅの下方向の操作を、“右ボタン”はカーソルキー８ｅの右方向の操作を、“左ボタン”はカーソルキー８ｅの左方向の操作を、それぞれ意味しており、カーソルが各項目やモードのいずれの位置にあるかを示すために、カーソルが位置する項目やモードを太枠で囲むことで表記している。
【００３３】
図示省略するが、以下同様に、「シーンセレクト」は、フルオートモード、スポーツモード、ポートレートモード、夜景ポートレートモード、スノービーチモード、花火モード、ランプモードの中から１つを選択でき、絞り、シャッタスピード、ストロボ等をシーンに応じて予め用意された制御データにより統合して制御するものである。「フィルター」は、フィルターなしモード、コスメモード、モノクロモード、セピアモード中から１つを選択でき、特殊なフィルター効果を得ることが可能となる。「フラッシュ」は、オートモード、強制発光モード、発光禁止モードの中から１つを選択でき、モードに応じてストロボ発光部６０の発光制御が為される。「セルフタイマー」は、オフモード、２秒モード、１０秒モードの中から１つを選択でき、モードに応じてセルフタイマー機能が制御される。
【００３４】
撮影メニュー（２）としては、図１０（ｈ）に示すように、「動画手ぶれ補正」、「静止画手ぶれ補正」、「フォーカス」、「フォーカス方式」、「測光方式」、「ＩＳＯ感度」の６項目が用意され、「動画手ぶれ補正」は、動画手ぶれ補正をＯＮ／ＯＦＦするＯＮモードとＯＦＦモードの２モードが、「静止画手ブレ補正」も、静止画手ぶれ補正をＯＮ／ＯＦＦするＯＮモードとＯＦＦモードの２モードが、「フォーカス」は、合焦対象域として全域、ノーマル、マニュアル、マクロモードの４モードが、「フォーカス方式」は、９点測距、スポットフォーカスの２モードが、「測光方式」は、多分割、中央重点、スポットモードの３モードが、「ＩＳＯ感度」は、オート、５０、１００、２００、４００、８００、１６００、３２００の８モードが用意されており、いずれの項目についても用意されているモードの中から１つを選択して設定し、所望の撮影条件を設定することが可能になる。
【００３５】
撮影メニュー（３）としては、図１０（ｊ）に示すように、「ホワイトバランス」、「露出」、「デジタルズーム」、「顔検出」、「高感度モード」の５項目が用意され、「ホワイトバランス」はオート、晴れ、曇り、蛍光灯、白熱灯、ワンプッシュモードの６モードが、「マニュアル露出」はプログラム、シャッタ優先、絞り優先、マニュアルの４モードが、「デジタルズーム」はＯＮ、ＯＦＦモードの２モード、被写体の顔を検出して、この顔をターゲットにしてフォーカスや露出制御を行なう「顔検出」はＯＮ、ＯＦＦの２モードが、「高感度」はＯＮ、ＯＦＦの２モードが準備されており、いずれの項目についても準備されているモードの中から１つを選択して設定し、所望の撮影条件を設定することが可能になる。
【００３６】
図１０（ａ）のメニュー画面の左側には、各撮影メニューのタグＡ１乃至Ａ３が表示されており、撮影メニュー（３）のタグＡ３の下側には、後述するオプションメニュー（１）乃至（３）のタグＣ１乃至Ｃ３が表示されている。このオプションメニューは、撮影条件や再生条件に追加されるオプション機能に関する各種の条件を設定するもので、オプションメニュー（１）は、「日付時刻設定」、「画面表示」、「オープニング画面」、「操作音」、「ポストビュー」、「記録フォルダ」の６項目からなり、「日付時刻設定」は日付と時刻の入力する項目で、「画面表示」は画面にパラメータの全てを表示するか、日付時刻情報を表示するか等を決定する項目、「オープニング画面」は予め設定されているオープニング画面を表示するか否かを決定する項目、「操作音」は各種の操作音を所定音から選択する項目、「ポストビュー」は撮影後の画像を確認する時間を設定する項目、「記録フォルダ」は記録すべき画像の記録先のフォルダを設定する項目であり、メニュー表示により各項目内の条件設定を行う。
【００３７】
同様に、オプションメニュー（２）は、「シュートカット」、「ノイズリダクション」、「画質調整」、「フリッカー軽減」、「モニター明るさ」、「外部マイク音量」の６項目からなり、「ショートカット」はカーソルキー８ｅでのショートカット先の設定、「ノイズリダクション」は動画、静止画、音声の各々についてのノイズリダクションＯＮ、ＯＦＦの設定、「フリッカー軽減」はフリッカー軽減機能のＯＮ、ＯＦＦの設定、「モニター明るさ」はモニターの明るさの設定、「外部マイク音量」は外部マイクの音量を設定するための項目であり、条件設定に際して１階層または２階層でのメニュー表示となっている。
【００３８】
更に、オプションメニュー（３）は、「言語」、「ＴＶ出力」、「パワーセーブ」、「ファイルＮＯ」、「フォーマット」、「設定リセット」の６項目からなり、「言語」は日本語や英語等の複数の言語から使用言語を選択する項目、「ＴＶ出力」はＮＴＳＣ／ＰＡＬやワイド画面か否かを選択する項目であり、「パワーセーブ」は撮影時や再生時のパワーセーブ開始までの時間設定を行う項目、「ファイルＮＯ」はカード再装着時のファイルＮＯをいずれのＮＯから開始するかを決定する項目、「フォーマット」は簡易または完全フォーマットを行なうか否かを決定する項目、「設定リセット」はリセット時にパラメータを工場出荷時の状態に戻すか否かを決定する項目である。
【００３９】
次に、ノーマルメニューモードでの撮影に関する各項目のモード設定方法について説明する。撮影モードでスルー画像をモニター部４ａに表示させた状態で、メニューボタン８ｄを操作することにより、図９（ａ）に示すように、撮影メニュー（１）がモニター部４ａに表示される。撮影メニュー（１）の中に設定または変更を所望する項目が存在する場合には、カーソルキー８ｅを上または下方向に短い時間操作する、言い換えると、カーソルキー８ｅを上または下方向に短時間、指で傾けた後に直ぐに中立位置に戻す（短時間操作をする）ことで、図９（ａ）、（ｃ）、（ｅ）、（ｆ）、（ｇ）のように、カーソルは撮影メニュー１の表示項目の表示順に一項目分のみが下側に移動し、この動作を繰り返すうちに撮影メニュー（１）の最下位にある項目に達すると、撮影メニューの最上位の項目に移動し、短押しを繰り返す限り、カーソルは撮影メニューＴＡＢ１の６項目を循環することになる。例えば、図９（ａ）に示すように、撮影メニュー（１）上でカーソルが「動画」の位置にあった場合に、下方向への短時間操作を行うたびに、図９（ｃ）、（ｅ）、（ｆ）、（ｇ）に示すように、「静止画」→「シーンセレクト」→「フィルター」→「フラッシュ」→「セルフタイマー」→「動画」→「静止画」と撮影メニュー（１）内の項目を循環する。従って、この短時間操作により撮影メニュー（１）の所望項目にカーソルを移動させ、カーソルキー８ｅの中央部を押し下げることで、項目のセット操作が実行され、この項目の中で事前に準備されている複数のモードが表示され、カーソルキーを上下させることで所望のモードにカーソルが移動しカーソルキーの中央部を押し下げることで該当項目の動作モードの設定が完了する。
【００４０】
例えば、使用者が動画像撮像における解像度を変更設定したい場合、図９（ａ）に示すように、先ず撮影メニュー（１）のメニュー表示を行なって、カーソルキー８ｅを操作して、「動画」の項目を選択する。すると、図９（ｂ）に示すように、動画用の解像度を示す複数のモードが表示される。次に、使用者はカーソルキー８ｅを操作することによって複数の解像度を示すモードの中から所望の解像度を示す項目を選択し、中央部であるセットキー押下することによって決定する。すると、決定された解像度が設定される。尚、上述の説明では、カーソルキー８ｅは下方向に操作することで、カーソルは各項目を画面上で下方向に移動したが、カーソルキー８ｅを上方向に操作することで、カーソルは各項目を画面上で上方向に移動させることも可能である。
また、同様に「静止画」の項目を選択すると、図９（ｄ）に示すように、静止画用の解像度を示すモードの中から所望の解像度を示す項目を選択し、セットキーを押し下げすることでモード設定が完了する。
【００４１】
次に、使用者がノーマルメニューモードにおいて、撮影メニュー（１）には所望の項目がなく、他の撮影メニューから所望の項目を選択したい場合には、次のようにして撮影メニュー（２）または（３）に切り替える。図１０（ａ）に示す撮影メニュー（１）が表示されている状況で、前述の短時間操作に代えて、カーソルキー８ｅを上または下方向に操作する、言い換えると、指で上または下方向にカーソルキー８ｅを傾けて、中立位置に戻さない状態を継続する（長時間操作をする）と、この長時間操作を継続する間は、図１０（ｂ）乃至（ｇ）に示すように、カーソルは順次撮影メニュー（１）の表示項目を１項目づつ下方向に移動し、撮影メニュー（１）の最下位の項目、即ち「セルフタイマー」に達すると、図１０（ｉ）に示すように、撮影メニュー（２）に移動して、撮影メニュー（２）の最上位の項目である「動画手ぶれ補正」に移動し、ここから１項目づつ下方向に移動することになる。更に、長時間操作が継続されて撮影メニュー（２）の最下位の項目即ち、「ＩＳＯ感度」に達すると、図１０（ｋ）に示すように、撮影メニュー（３）の最上位の項目である「ホワイトバランス」に移動し、さらに長押しが継続されると撮影メニュー（３）の最下位の「高感度モード」に移動するので、使用者は、撮影メニュー（１）乃至（３）の項目の中の所望の項目に達した時点でカーソルキー８ｅの下方向への操作を止めれば、所望の項目に迅速に到達することができる。尚、撮影メニュー（３）の最下位の項目に達した状況でも長時間操作が継続されている場合には、撮影メニュー（３）の下側に位置するオプションメニュー（１）に移動して、同様に最上位の項目から一項目づつ移動し、オプションメニュー（１）の完了後はオプションメニュー（２）に、更に長時間操作が継続される場合にはオプションメニュー（３）に移動し、オプションメニュー（３）の最下位の項目に至っても長時間操作が継続される場合には、再び撮影メニュー（１）に戻り「動画」から順に下方に移動する。尚、図１０で（ｇ）から（ｂ）への下方向操作によるカーソル移動は、単に短時間操作を示しているに過ぎず、長時間操作では（ｇ）から（ｉ）にカーソルが移動する。
【００４２】
また、撮影メニュー（１）〜（３）の切り替えを一項目づつ移動させるのではなく、メニューを高速に切り替える場合には、タブＡ１乃至Ａ３をカーソルキー８ｅの左方向の操作により選択し、カーソルキー８ｅの上下方向の操作により他の撮影メニューのタブを選択することにより、撮影メニューの選択を直接行なうことも可能である。但し、この場合、タブ選択により撮影メニューを選択した後に、カーソルキー８ｅで項目選択を新たに実行する必要があり、長時間操作での複数の撮影メニューを跨いだ項目選択に比べて、カーソルキー８ｅの操作回数の増加は免れない。
【００４３】
次に、使用者が撮像モード中にメニュー切替スイッチ１２をＹ位置に移動させ、メニューボタン８ｄを押下すると、モニター部４ａに図５に示すシンプルメニューモードにおける撮影メニュー選択画面の表示が行われる。本実施例におけるシンプルメニューモードにおける撮像メニュー選択項目は、上述したノーマルメニューモードにおける撮像メニュー選択項目に含まれるか、あるいはノーマルメニューモードの複数の項目を基に作成されたもので構成され、ノーマルメニューモードと比較して選択可能な項目が極めて少ない。本実施例では、「解像度」メニュー、「フォーカス」メニューおよび「フラッシュ」メニューのみが選択可能である。このシンプルメニューモードは、使用者にとって必要最小限の撮影メニュー設定を想定している。したがって、撮影メニュー設定を行う際に、ノーマルメニューモードでの非常に多い項目についての選択／設定に比べて設定に要する時間を極めて短くすることができる。
【００４４】
図５（ａ）、（ｅ）、（ｈ）はメニューボタン８ｄが押下された際にモニター部４ａに表示される画面であり、カーソルキー８ｅを上下方向に操作することによって、「解像度」メニュー、「フォーカス」メニューおよび「フラッシュ」メニューのいずれかの項目が選択されたときに、各々のメニュー機能を説明する文字列が表示されている図である。
【００４５】
ここで、使用者が動画像撮像における解像度を変更設定したい場合について説明する。まず、図５（ａ）に示すように、カーソルキー８ｅが操作されることによって「解像度」メニューを示す項目が選択され決定操作が為されると、図５（ｂ）に示すように、３個の解像度モードが表示される。この３つの解像度モードは、“ハイビジョンサイズ／３．５メガピクセル”、“ＴＶサイズ／４メガピクセル”および“ＷＥＢサイズ／０．３メガピクセル”である。ここで、この解像度の項目の選択対象となるモードは、ノーマルメニューにおける「動画」と「静止画」の両項目を合成して、代表的な３モードを用意するようにしたもので、“ハイビジョンサイズ／３．５メガピクセル”は動画であればＦＵＬＬ−ＨＱモード、静止画であればアスペクト比が１６：９でファイルサイズが３．５ＭＢとなる３．５Ｍモードとなるモードで、横長のハイビジョンに適した解像度となる。“ＴＶサイズ／４メガピクセル”は動画であればＴＶ−ＳＨＱモード、静止画であればアスペクト比が４：３のファイルサイズが４ＭＢの４Ｍ−Ｓモードとなるモードで、一般的なＴＶの画面サイズに適した解像度となる。“ＷＥＢサイズ／０．３メガピクセル”は、動画であればｗｅｂ−ＳＨＱモード、静止画であれば０．３Ｍモードとなるモードで、主にブログに使用する画像サイズに適したモードである。このように、シンプルメニューモードでの解像度の項目では、ノーマルメニューモードの２種類の項目を合体させて、動画若しくは静止画の撮影に際して、ハイビジョン、ＴＶ、Ｗｅｂのい３タイプのいずれに適した撮影を行なうかにより、夫々の撮影に好ましい代表的なモードを事前に用意していることになり、動画撮影及び静止画撮影のそれぞれのために２種類の項目を用意することなく、このシンプルメニューモードの「解像度」メニューから一つを選択することで、３タイプの撮影の各々に対応した、動画撮影または静止画撮影のための撮影条件設定を極めて簡単に行なうことが可能となる。
【００４６】
この解像度の項目でのメニュー表示において、例えば、図５（ｂ）の状態で、カーソルキー８ｅの中央部の押下げによるセット操作を行なうと、“ハイビジョンサイズ／３．５メガピクセル”のモードが選択されると、画面の上部分に“ハイビジョンで残したい”という使用者に対し推奨する解像度を示す文字列が表示される。更に、図５（ｂ）の状態からカーソルキー８ｅを右方向に操作して、カーソルを移動させて図５（ｃ）に示す状態にしてカーソルキー８ｅのセット操作を行なうと、“テレビサイズ／４メガピクセル”のモードが選択されて、“テレビで楽しみたい”という文字列が表示され、更に図５（ｃ）の状態からカーソルキー８ｅを右方向に操作してカーソルを移動させて図５（ｄ）に示す状態にしてセット操作を行なうと、“ＷＥＢサイズ／０．３メガピクセル”のモードが選択され、“ブログで使いたい”という文字列が表示される。
【００４７】
このようにて、カーソルキー８ｅが操作されることによって、解像度用のモードの選択／決定操作がなされると、選択／決定された解像度が設定される。そして、動画撮像スタートボタン８ｂが押下されると、設定された解像度で動画像撮像処理が開始される。また、ここで静止画撮影ボタン８ｃが押下された場合は、設定された解像度で静止画撮像処理が実行される。
【００４８】
また、「フォーカス」メニューを変更設定する場合、図５（ａ）の状態からカーソルキー８ｅを下方向に操作して、図５（ｅ）に示すように、カーソルを真ん中のアイコンを移動させてセット操作を行なうと、図５（ｆ）に示すように、２個のフォーカスモードが表示される。このフォーカスモードは、ノーマルメニューにおける「フォーカス」の項目を更に簡略化して、一般的な撮影に適した“通常撮影用”と“マクロ撮影用”の２モードで構成したものである。図５（ｆ）に示す状態でセット操作を行なって、通常撮影用が選択されると、人物や風景などの一般的な撮影に適したフォーカス制御が為されるようにパラメータ設定が為される。また、図５（ｆ）の状態からカーソルキー８ｅを右方向に操作すると、カーソルを移動させると図５（ｇ）に示す表示になり、この状態でセット操作を行なってマクロ撮影用選択すると、マクロ撮影に・BR>Kしたフォーカス制御が為されるようにパラメータ設定が為される。尚、モード設定に際して、各モードの説明を示すガイダンスが解像度の場合と同様に表示される。
【００４９】
更に、「フラッシュ」メニューを変更設定する場合、図５（ｅ）の状態からカーソルキー８ｅを下方向に操作することで、図５（ｈ）に示すようにカーソルが最下位のアイコンに移動し、この状態で、セット操作するとフラッシュメニューの選択が為されて、図５（ｉ）に示すように、３個のストロボ制御モードが表示される。このフラッシュメニューは、ノーマルメニューモードの「フラッシュ」の項目と全く同一で、３モードから１つを選択可能となっている。図５（ｉ）に示す状態で、セット操作が為されるとオートフラッシュモードが選択され、撮影時の明るさに応じて発光／非発光が制御され、更にその際の発光量も適切に制御される。図５（ｉ）の状態からカーソルキー８ｅを右方向に操作するとカーソルが図５（ｊ）に示す状態に移行し、この状態でセット操作が為されると、フラッシュＯＮモードが選択され、いかなる状況であっても、ストロボ発光部６０が発光を行なうようにパラメータ設定が為される。同様に、図５（ｊ）の状態から、更にカーソルキー８ｅを右方向に操作して、カーソルを図５（ｋ）に示すように移動させ、セット操作を行なうと、フラッシュＯＦＦモードが選択され、いかなる状況であっても、ストロボ発光部は非発光となるようにパラメータ設定が為される。尚、モード設定に際して、各モードの説明を示すガイダンスが解像度の場合と同様に表示される。
【００５０】
このように、使用者が直感的に分かりやすい文字列および項目を表示させ、かつ選択項目数を減らして代表的な撮影パターンでの条件設定のみに簡略化することにより、使用者にとって簡単にかつ迅速にメニュー設定を行うことが出来るため、所望の撮像条件ですぐに撮像操作を行うことが出来る。
【００５１】
次に、使用者が再生モード中にメニュー切替スイッチ１２をＸ位置に移動させ、メニューボタン８ｄを押下すると、モニター部４ａに図４に示すノーマルメニューモードにおける再生メニュー選択画面の表示が行われる。ノーマルメニューモードにおける再生メニュー選択項目は、近年の電子カメラにおいて、通常に用意されている選択項目である。
【００５２】
ここで、ノーマルメニューモードでの再生メニューには、多くの項目が用意されているため、モニター部４ａの１画面では、それらの項目の全てを一括表示することは難しい。そこで、２個の画面で別々の再生メニュー（１）、（２）に分割表示できるように構成され、使用者が再生メニュー（１）及び再生メニュー（２）のいずれかを、カーソルキー８ｅの左・右方向へのキー操作とセット操作により選択可能となっている。尚、このような選択項目は階層表示される。
【００５３】
以下に、再生メニュー（１）、（２）について詳述する。再生メニュー（１）は、「スライドショー」、「再生音量」、「プロテクト」、「消去」、「プリント予約」、「回転」の６項目が用意されている。
【００５４】
「スライドショー」の項目においては、全てのファイル、動画ファイル、静止画ファイルの中から再生対象ファイルを選択し、１秒、２秒、３秒、５秒、１０秒から切り替え時間の選択し、スライドショーに際して切り替えの特殊効果、例えば次画面をスライドインしたり、チャッカーボードの模様から次画面が現るというような特殊効果を事前に用意された複数のパターンから選択し、更にＢＧＭの有無、あるいはありの場合の音声ファイルの選択を行なう等の４つのパラメータについて設定データを選択入力でき、「スタート」を選択すると、スライドショーを設定データに応じて開始させることも可能となるように構成されている。
【００５５】
「再生音量」の項目は、例えば１０段階のいずれかを選択することで再生音声量をスライドさせるもので、「プロテクト」の項目は、現在表示している画像に対してプロテクトを施すか、解除するかを選択するもので、「消去」は表示されている再生画像を消去するか、プロテクトが解除されている画像全てを消去するかを選択するもので、「プリント予約」の項目は、メモリカードに記録されている各画像ファイルまたは全画像ファイルに枚数等のプリント予約するもので、「回転」は表示されている再生画像を右または左に９０度回転させることを選択するものである。
【００５６】
同様に、再生メニュー（２）の画面は、図示省略するがメニュー項目として、「リサイズ」、「静止画抜き出し」、「動画編集」の３項目が用意されている。「リサイズ」の項目は、現在表示されており再生画像ファイルのファイルサイズを変更する際の変更後のサイズを所定のサイズから選択するもので、「静止画抜き出し」の項目は、動画ファイルから静止画ファイルを抜き出すことを指定するもので、「動画編集」の項目は、メモリカード２８に記録されている動画ファイルの一部をカットしたり、複数の動画ファイルのつなぎ合わせを行なうために、動画ファイルの選択やカット部分の指定、つなぎ合わせ位置の選択を行なうものである。
【００５７】
次に、ノーマルメニューモードでの再生に関する項目の設定方法について説明する。
再生モードで再生画像をモニター部４ａに表示させた状態で、メニューボタン８ｄを操作することにより、図４（ａ）に示すように、再生メニュー（１）がモニター部４ａに表示される。再生メニュー（１）の中に設定または変更を行ないたい項目が存在する場合には、カーソルキー８ｅを上または下方向に短時間操作することで可能となる。即ち、カーソルキー８ｅを単に下方向に１回短く操作して、直ぐに中立位置に戻すだけでは、カーソルは再生メニュー（１）の表示項目の表示順に一項目分のみが下側に移動し、この動作を繰り返すうちに再生メニュー（１）の最下位にある項目に達すると、再生メニュー（１）の最上位の項目に移動し、短時間操作を繰り返す限り、カーソルは再生メニュー１の６項目を循環することになる。図４（ａ）に示すように、撮影メニュー（１）上でカーソルが「スライドショー」の位置にあった場合に、カーソルキー８ｅのセット操作を行なうと、図４（ｂ）のように「スライドショー」の項目に必要な各種のパラメータの設定を行なうメニューが現れる。この状態でカーソルキー８ｅを上方向に操作して、図４（ｃ）に示すように、カーソルを「再生ファイル」に移動させてセット操作を行なうと、図４（ｄ）に示すように、この再生ファイルの設定位置にカーソルが移動し、この状態でカーソルキー８ｅを下方向に操作する毎に図４（ｆ）や図４（ｈ）に示すように、すべて→静止画→動画とスライドショーのファイルの種類を設定することができる。この設定が完了すると、メニューボタン８ｄを押下げることで、図４（ｃ）の状態に戻る。更に、図４（ｅ）や（ｇ）に示すように、カーソルキー８ｅを下方向に操作して切り替え時間、切り替え効果、ＢＧＭを選択して、それそれの設定データを設定することができる。
【００５８】
次に、使用者がノーマルメニューモードにおいて、再生メニュー（１）には所望の項目がなく、他の撮影メニューから所望の項目を選択したい場合には、次のようにして再生メニュー（２）に切り替える。図４（ａ）に示す再生メニュー（１）が表示されている状態で、前述の短時間操作に代えて、長時間操作を継続すると、これが継続される間は、カーソルは順次再生メニュー（１）の表示項目を１項目づつ下方向に移動し、再生メニュー（１）の最下位の項目、即ち「回転」に達すると、再生メニュー（２）に移動して、再生メニュー（２）の最上位の項目である「リサイズ」に移動し、ここから１項目づつ下方向に移動することになる。更に、長時間操作が継続されて再生メニュー（２）の最下位の項目即ち、「動画編集」に達する。使用者は、再生メニュー（１）乃至（２）の項目の中の所望の項目に達した時点でカーソルキー８ｅの下方向への操作を止めれば、所望の項目に迅速に到達することができる。尚、再生メニュー（２）の最下位の項目に達した状況でも、長時間操作が継続されている場合には、撮影メニューと同様に再生メニュー（２）の下側に位置するオプションメニュー（１）に移動して、同様に最上位の項目から一項目づつ移動し、オプションメニュー（１）完了後はオプションメニュー（２）に、更に長押し層が継続される場合にはオプションメニュー（３）に移動し、オプションメニュー（３）の最下位の項目に至っても長時間操作が継続される場合には、再び再生メニュー（１）に戻り「スライドショー」から順に下方に移動する。尚、図４において、Ｂ１、Ｂ２は再生メニュー（１）、（２）のタブであり、撮影メニューと同様にこのタブを選択することでメニュー選択を行なうことができる。
【００５９】
次に、使用者が、図６（ａ）に示す再生モードのファイル再生中にメニュー切替スイッチ１２をＹ位置に移動させてシンプルメニューモードとした上で、メニューボタン８ｄを押下するとモニター部４ａに図６（ｂ）、（ｅ）、（ｇ）に示すように３個の再生メニューの項目である、スライドショー、再生音量および消去の項目がアイコン表示される。カーソルキー８ｅが左右に操作されることによって、カーソルを移動させて現在選択されている項目を説明する文字列が表示される。例えば、図６（ｂ）のようにスライドショーを示す項目にカーソルがある状態で、カーソルキー８ｅによるセット操作が為されると、図６（ｃ）に示すように、何れの種類のファイルのスライドショーを選択するための項目である、“すべて”、“ムービー”および“写真”のモードが表示される。ここで、例えば、“すべて”のモードが選択され、セット操作が為されると、メモリカード２８に記録されているファイルすべてが図６（ｄ）に示すようにスライドショー形式で表示される。“すべて”にカーソルがある状態からカーソルキー８ｅを下方向に操作して“ムービー”に移動させてセット操作を行なうと動画ファイルのスライドショーが実行される。更に、“写真”にカーソルを移動させてセット操作を行なうと静止画ファイルのスライドショーが実行される。
【００６０】
また、再生音量を変更設定する場合は、図６（ｅ）に示すように再生音量の項目にカーソルを移動させてセット操作を実行すると、図６（ｆ）に示すように再生音量がカーソルキー８ｅを左右に操作されることによって使用者の所望の音量に仮設定し、セット操作をすることで設定される。
【００６１】
また、画像を消去する場合には、図６（ｇ）に示すように消去の項目にカーソルを移動させてセット操作を行なうと、図６（ｈ）に示すように１個のファイルの消去を示す“１ファイル消去”、および全てのファイルの消去を示す“全ファイル消去”が表示される。そして、例えば、カーソルキー８ｅが操作により“１ファイル消去”へのカーソル移動及びセット操作が為されると、現在再生中のファイルが消去される。カーソルを “全ファイル消去”に移動させた上で、セット操作を実行するとメモリカード２８に記録された全ファイルが消去される。
【００６２】
次に、上述の処理をＣＰＵ２２で実行するメニュー設定処理方法について、図７、図８、図１１乃至図１６を用いて詳述する。
【００６３】
まず、図７を参照して、撮像モードにおける撮像メニュー設定処理を説明する。
【００６４】
撮影／再生モードスイッチ８ａがＰ位置に移動されると、ＣＰＵ２２はステップＳ１に進み、メニュー切替スイッチ１２がＸ位置にあるか、Ｙ位置にあるかを判別する。ここで、メニュー切替スイッチ１２がＹ位置にあると判別すると、ステップＳ３に進み、メニューボタン８ｄが押下されたか否かを判別し、押下と判断されるまでステップＳ１とステップＳ３を繰り返し、押下されたと判別すると（ＹＥＳ）ステップＳ５に進む。ステップＳ５では、上述したノーマルメニューモードにおける撮影メニュー設定処理を実行し、処理が終わるとステップＳ１に戻る。
【００６５】
ステップＳ１において、メニュー切替スイッチ１２がＸ位置にあると判別すると、ステップＳ７へ進み、メニューボタン８ｄが押下されたか否かを判別し、押下と判断されるまでステップＳ１とステップＳ７を繰り返し、押下されたと判別すると（ＹＥＳ）ステップＳ９へ進む。ステップＳ９では、図５（ａ）に示すシンプルメニューモード画面をモニター部４ａに表示させる。次に、ステップＳ１１へ進み、３個の撮影メニュー項目である、解像度メニュー、フォーカスメニューおよびフラッシュメニューの項目から、いずれの項目が選択／決定されたかを判別する。
【００６６】
ステップＳ１１において、解像度メニューが選択／決定されたと判別すると、図８のステップＳ１３へ進み、図５（ｂ）に示すように３つの解像度モードであるハイビジョンサイズ／３．５メガピクセル、テレビサイズ／４メガピクセルおよびＷＥＢサイズ／０．３メガピクセルのモードをモニター部４ａに表示させて、ステップＳ１５へ進む。ステップＳ１５では、３つの解像度モードからいずれのモードが選択／決定されたかを判別する。
【００６７】
ステップＳ１５において、ハイビジョンサイズ／３．５メガピクセルが選択／決定されたと判別するとステップＳ１７に進み、撮像条件における解像度をハイビジョンサイズ／３．５メガピクセルに設定する。また、ＴＶサイズ／４メガピクセルが選択／決定されたと判別するとステップＳ１９に進み、撮像条件における解像度をＴＶサイズ／４メガピクセルに設定する。同様に、ＷＥＢサイズ／０．３メガピクセルが選択／決定されたと判別するとステップＳ２１に進み、撮像条件における解像度をＷＥＢサイズ／０．３メガピクセルに設定する。ステップＳ１７、ステップＳ１９、ステップＳ２１の夫々のステップにおいて設定処理の実行が終了するとステップＳ１へ戻る。
【００６８】
ステップＳ１１において、フォーカスメニューが選択／決定されたと判別すると、図１１のステップＳ２２へ進み、図５（ｆ）に示すようにフォーカスの項目中の２つモードである通常撮影用およびマクロ撮影用のモードをモニター部４ａに表示させる。
【００６９】
次にステップＳ２３へ進み、フォーカス項目としていずれのモードが選択／決定されたかを判別する。ステップＳ２３において、通常撮影用モードが選択／決定されたと判別するとステップＳ２５へ進み、撮像条件におけるフォーカス設定を通常撮影用フォーカスモードに設定する。また、ステップＳ２３において、マクロフォーカスモードが設定／決定されたと判別するとステップＳ２７へ進み、撮像条件におけるフォーカス設定をマクロフォーカスモードに設定する。ステップＳ２５およびステップＳ２７の夫々のステップにおいて設定処理の実行が終了するとステップＳ１へ戻る。
【００７０】
ステップＳ１１において、フラッシュメニューが選択／決定されたと判別すると、図１２のステップＳ２９へ進み、図５（ｉ）に示すように３つのフラッシュモードである、オートフラッシュモード、常にフラッシュＯＮモード、常にフラッシュＯＦＦモードのモードを表示させる。次にステップＳ３１へ進み、３個のフラッシュモードからいずれのモードが選択／決定されたかを判別する。ステップＳ３１において、オートフラッシュモードが選択／決定されたと判別するとステップＳ３３へ進み、撮像条件におけるフラッシュ設定をオートフラッシュモードに設定する。またステップＳ３１において、常にフラッシュＯＮモードが選択／決定されたと判別するとステップＳ３５へ進み、撮像条件におけるフラッシュ設定を常にフラッシュＯＮモードに設定する。また、ステップＳ３１において、常にフラッシュＯＦＦモードが選択／決定されたと判別するとステップＳ３７へ進み、撮像条件におけるフラッシュ設定を常にフラッシュＯＦＦモードに設定する。ステップＳ３３、ステップＳ３５およびステップＳ３７の夫々のステップにおいて設定処理の実行が終了するとステップＳ１へ戻る。
【００７１】
次に図１３乃至図１６を参照して、再生モードにおける再生メニュー設定処理を説明する。
【００７２】
撮影／再生モードスイッチ８ａがＱ位置に移動されると、ＣＰＵ２２はステップＳ５０において、図６（ａ）に示す再生画像をモニター部４ａに表示させる。次にステップＳ５１に進み、メニュー切替スイッチ１２がＸ位置にあるか、Ｙ位置にあるかを判別する。ここで、メニュー切替スイッチ１２がＹ位置にあると判別すると、ステップＳ５３に進み、メニューボタン８ｄが押下されたか否かを判別し、押下されたと判断するまでステップＳ５１およびステップＳ５３の処理を繰り返し、押下されたと判別すると（ＹＥＳ）ステップＳ５５に進む。ステップＳ５５では、上述したノーマルメニューモードにおける再生メニュー設定処理を実行し、処理が終わるとステップＳ５０に戻る。
【００７３】
ステップＳ５１において、メニュー切替スイッチ１２がＸ位置にあると判別すると、ステップＳ５７へ進み、メニューボタン８ｄが押下されたか否かを判別し、押下されたと判断するまでステップＳ５１およびステップＳ５７の処理を繰り返し、押下されたと判別すると（ＹＥＳ）ステップＳ５９へ進む。ステップＳ５９では、図６（ｂ）に示すシンプルメニューモード画面をモニター部４ａに表示させる。次に、ステップＳ６１へ進み、３個の再生メニュー項目である、スライドショーメニュー、再生音量メニューおよび消去メニューの項目から、いずれの項目が選択／決定されたかを判別する。
【００７４】
ステップＳ６１において、スライドショーの項目が選択／決定されたと判別すると、図１４のステップＳ６３へ進み、図６（ｃ）に示すように３個のスライドショーのモードである“すべて”、“ムービー”および“写真”のモードをモニター部４ａに表示させて、ステップＳ６５へ進む。ステップＳ６５では、３個のスライドショーモードからいずれのモードが選択／決定されたかを判別する。
【００７５】
ステップ６５において、“すべて”が選択／決定されたと判別するとステップＳ６７へ進み、すべてのファイルをスライドショー形式でモニター部４ａに再生表示する。ステップＳ６５において、“ムービー”が選択／決定されたと判別するステップＳ６９へ進み、すべての動画像ファイルをスライドショー形式でモニター部４ａに再生表示する。また、ステップＳ６５において、“写真”が選択／決定されたと判別するとステップＳ７１へ進み、すべての静止画像ファイルをスライドショー形式でモニター部４ａに再生表示する。ステップＳ６７、ステップＳ６９およびステップＳ７１の夫々のステップにおいてスライドショーが終了または中止が為されるとステップＳ５０へ戻る。
【００７６】
ステップＳ６１において、再生音量の項目が選択／決定されたと判別すると図１５のステップＳ７３へ進み、図６（ｆ）に示すように現在の再生音量がどれくらいかを示すバーをモニター部４ａに表示する。次にステップＳ７５に進み、カーソルキー８ｅの操作に応じた再生音量に設定する。そしてステップＳ５０へ戻る。
【００７７】
ステップＳ６１において、消去の項目が選択／決定されたと判別すると図１６のステップＳ７７へ進み、図６（ｈ）に示すように２種類の消去モードである、“１ファイル消去”および“全ファイル消去”のモード名をモニター部４ａに表示させて、ステップＳ７９へ進む。
【００７８】
ステップＳ７９では、２つの消去モードからいずれのモードが選択／設定されたかを判別する。ステップＳ７９において、“１ファイル消去”のモードが選択／決定されたと判別すると、スップＳ８１へ進み、ステップＳ５０で再生表示されたファイルを消去する。ステップＳ７９において、“全ファイル消去”のモードが選択／決定されたと判別するとステップＳ８３へ進み、メモリカード２８に記録されているファイルをすべて消去する。ステップＳ８１およびステップＳ８３の夫々のステップにおいて、消去処理が終了するとステップＳ５０へ戻る。ただし、ステップＳ８３において全ファイル消去が為された後のステップＳ５０における再生画像表示処理では画像は表示されない。
【００７９】
次に、図１０（ａ）〜（ｋ）を例に説明したノーマルメニューモードにおいて各項目のモード設定について、ＣＰＵ２２が実行する処理を図１７〜図２１を用いて説明する。
【００８０】
まず、メニュー切替スイッチ１２でノーマルメニューモードに設定し、メニューボタン８ｄが押下されると、ステップＳ９１にて変数ｉ＝１、ｊ＝１に設定する。そしてステップＳ９３に進み、変数ｉに対応するメニューに所属する複数の項目をモニター部４ａに表示させる。
【００８１】
ここでいう変数ｉと変数ｊを、図１０と図１７を用いて説明する。変数ｉは複数のメニューに夫々対応しており、図１７（ａ）に示すテーブルのように、変数ｉ＝１は撮像メニュー（１）のタブＡ１、変数ｉ＝２は撮像メニュー（２）のタブＡ２、変数ｉ＝３は撮像メニュー（３）のタブＡ３、変数ｉ＝４はオプションメニュー（１）のタブＣ１、変数ｉ＝５はオプションメニュー（２）のタブＣ２、変数ｉ＝６はオプションメニュー（３）のタブＣ３に割り当てられている。このメニューにそれぞれ所属する複数の項目が存在することから、これらのメニューを第１階層と定義する。そして、変数ｉ、変数ｊはＣＰＵ２２の図示しないレジスタに格納されており、逐次、変数の値を更新し保持している。
【００８２】
変数ｊは図１７（ｂ）〜（ｇ）に示すテーブルのように、変数ｉに対応するメニューに夫々所属する複数の項目が変数ｊ＝１〜６に基づいて夫々割り当てられている。これらを第２階層と定義する。従って、変数ｉ＝１、ｊ＝１のときに実行されるステップＳ９３の処理としては、モニター部４ａに図１０（ａ）に示すごとく、撮像メニュー（１）に所属する６つの項目（「動画」、「静止画」、「シーンセレクト」、「フィルター」、「フラッシュ」、「セルフタイマー」）を表示させる。
【００８３】
さて、処理の説明にもどって、ステップＳ９５では、第１階層操作、つまりメニュー選択操作が有ったか否かを判別する。具体的には、使用者によるカーソルキー８ｅを上または下方向への短い時間操作または長時間操作があったか否かを判断している。ステップＳ９５において、ＹＥＳと判別するとステップＳ９７へ進み、現在の変数ｉの値が６であるか否かを判別する。ここで、変数ｉ＝６でない場合、つまり変数ｉ＝１〜５である場合は、ＮＯと判別しステップＳ９９へ進む。
【００８４】
ステップＳ９９では、現在の変数ｉが１であるか否かを判別する。つまり、現在の第１階層が撮像メニュー（１）であるか否かを判別する。ここで、ＹＥＳと判別すると、ステップＳ１０１へ進み、ステップＳ９５におけるメニュー選択操作における操作がカーソルキー８ｅが上下のいずれの操作であるか否かを判別する。ここで、上と判別すると、ステップＳ１０３へ進み、変数ｉを６に設定する（ｉ＝６）。そして、ステップＳ９３へ戻る。このとき、ステップＳ９３では、ｉ＝６であるオプションメニュー（３）に所属する６つの項目（「言語」、「ＴＶ出力」、「パワーセーブ」、「ファイルＮＯ」、「フォーマット」、「設定リセット」）をモニター部４ａに表示させる。
【００８５】
また、ステップＳ１０１において下と判別すると、ステップＳ１０５へ進み、変数ｉを２に設定する。（ｉ＝２）。そして、ステップＳ９３へ戻る。このとき、ステップＳ９３では変数ｉが２である撮像メニュー（２）に所属する６つの項目（「動画手ぶれ補正」、「静止画手ブレ補正」、「フォーカス」、「フォーカス方式」、「測光方式」、「ＩＳＯ感度」）をモニター部４ａに表示させる（図１０（ｈ）参照）。
【００８６】
次に、ステップＳ９９においてＮＯと判別すると、ステップＳ１０７へ進み、ステップＳ９５におけるカーソルキー８ｅの操作が上下のいずれの操作であるか否かを判別する。ここで、上と判別するとステップＳ１０９へ進み、変数ｉを１デクリメントする（ｉ＝ｉ―１）。そしてステップＳ９３へ戻り、現在の変数ｉに対応するメニューに所属する複数の項目をモニター部４ａに表示させる。また、ステップＳ１０７において、下と判別すると、ステップＳ１０１へ進み、変数ｉを１インクリメントする（ｉ＝ｉ＋１）。そしてステップＳ９３へ戻る。
【００８７】
次に、ステップＳ９７において変数ｉが６（ｉ＝６）であると判別したときを説明する。ステップＳ９７でＹＥＳと判別し、ステップＳ１１３へ進み、ステップＳ９５におけるカーソルキー８ｅの操作が上下のいずれの操作であるか否かを判別する。ここで、下と判別するとステップＳ１１５へ進み、変数ｉを１設定する（ｉ＝１）。そして、ステップＳ９３へ戻る。このとき、ステップＳ９３では、変数ｉが１である撮像メニュー（１）に所属する６つの項目（「動画」、「静止画」、「シーンセレクト」、「フィルター」、「フラッシュ」、「セルフタイマー」）をモニター部４ａに表示させる（図１０（ａ）参照）。そして、ステップＳ１１３において、上と判別すると、ステップＳ１１７へ進み、変数ｉを１デクリメントする（ｉ＝ｉ―１）。そして、ステップＳ９３へ戻り、現在の変数ｉに対応するメニューに所属する複数の項目をモニター部４ａに表示させる。
【００８８】
さて、ステップＳ９５において、第１階層操作、つまりメニュー選択操作ではないと判別するとステップＳ１１９へ進む。ステップＳ１１９では、第２階層決定操作、つまりカーソルキー８ｅの中央部が押下されたか否かを判別する。ここで、ＮＯと判別するとステップＳ９５へ戻る。そして、ＹＥＳと判別するとステップＳ１２０へ進み、ステップＳ９３で現在表示されている変数ｉに対応するメニューに所属する複数の項目のうち、現在の変数ｊに対応する項目を強調表示するカーソルを配置させる（図１０（ｂ）〜（ｇ）を参照）。
【００８９】
次に、ステップＳ１２１へ進み、設定操作がされたか否か、つまりカーソルキー８ｅの中央部が押下されたか否かを判別する。ここでＹＥＳと判別すると、ステップＳ１２２へ進み、変数ｊに対応する項目の設定処理を実行し、終了する。また、ステップＳ１２１においてＮＯと判別するとステップＳ１２３へ進み、カーソルキー８ｅが上下方向操作や短時間操作および長時間操作が為された否かを判別する。ここで、ＹＥＳと判別すると、ステップＳ１２５へ進む。このステップＳ１２５では、ステップＳ１２３に為された操作が、短時間操作および長時間操作のいずれかであったかを判別する。短時間操作であると判別すると、ステップＳ１２７へ進む。ステップＳ１２７では、現在の変数ｊの値がｅｎｄであるか否かを判別する。ここで、ｅｎｄの定義を図１７（ａ）〜（ｇ）を用いて説明する。変数ｉが１、２、４、５、６のときは、変数ｊの値として１〜６を取るためｅｎｄを６（ｅｎｄ＝６）とし（図１７（ｂ）、（ｃ）、（ｅ）、（ｆ）、（ｇ）を参照）、変数ｉが３のときは、変数ｊの値として１〜５をとるためｅｎｄを５（ｅｎｄ＝５）とする（図１７（ｄ）を参照）。
【００９０】
説明を戻し、ステップＳ１２７において、ＹＥＳと判別すると、ステップＳ１２９へ進み、ステップ１２３における操作が、上下のいずれの操作であったかを判別する。ここで、下と判別するとステップＳ１３１へ進み、変数ｊの値を１に設定する（ｊ＝１）。そして、ステップＳ１２０へ戻り、ステップＳ９３で現在表示されている変数ｉに対応するメニューに所属する複数の項目のうち、現在の変数ｊに対応する項目を強調表示するカーソルを配置させる（図１０（ｂ）〜（ｇ）を参照）。また、ステップＳ１２９において、上と判断するとステップＳ１３３へ進み、変数ｊの値を１デクリメントする（ｊ＝ｊ−１）。そして、ステップＳ１２０へ戻る。
【００９１】
また、ステップＳ１２７において、ＮＯと判別すると、ステップＳ１３５へ進み、変数ｊの値が１であるか否かを判別する。ここで、ＹＥＳと判別するとステップＳ１３７へ進み、ステップＳ１２３で為された操作が上下の何れの操作であったかを判別する。ステップＳ１３７において、下と判別するとステップＳ１３９へ進み、変数ｊの値を２に設定する（ｊ＝２）。そしてステップＳ１２０へ戻る。また、ステップＳ１３７にいおいて、上と判別すると、変数ｊの値をｅｎｄに設定し（ｊ＝ｅｎｄ）、ステップＳ１２０へ戻る。
【００９２】
また、ステップＳ１３５において、変数ｊの値が１ではない、つまりＮＯと判別するとステップＳ１４３へ進む。ステップＳ１４３では、ステップＳ１２３で為された操作が上下のいずれの操作であったか否かを判別する。ステップＳ１４３において、下と判別すると、変数ｊに１インクリメントする（ｊ＝ｊ＋１）。そしてステップＳ１２０へ戻る。また、上と判別すると、ステップＳ１４５において変数ｊを１デクリメントする（ｊ＝ｊ−１）。そしてステップＳ１２０へ戻る。
【００９３】
図示しないが、ステップＳ１２１〜ステップＳ１４５の処理を実行中に、第１階層操作が成されるとステップＳ９７へ進む割り込み処理が実行される。
【００９４】
次に、ステップＳ１２５において長時間操作が為されたと判別した場合を説明する。ステップＳ１２５において、長時間操作が為されたと判別するとステップＳ１４９へ進み、変数ｊがｅｎｄ（ｊ＝ｅｎｄ）であるか否かを判別する。ここで、変数ｊがｅｎｄではない場合は、ＮＯと判別しステップＳ１５１へ進み、変数ｊが１である（ｊ＝１）か否かを判別する。ここで、ＮＯと判別した場合、つまり変数ｊが１でもｅｎｄでもない場合はステップＳ１５３へ進み、ステップＳ１２３において為された操作が上下の何れの操作であったかを判別する。ここで、下と判別すると、ステップＳ１５５へ進み、変数ｊに１インクリメントする（ｊ＝ｊ＋１）。次にステップＳ１７０へ進み、モニター部４ａにおいて現在保持されている変数ｉに対応するメニューに所属する複数の項目を表示させ、現在の変数ｊに対応する項目を強調表示するカーソルを配置させる。ステップＳ１５３において、上と判別するとステップＳ１５７へ進み、変数ｊに１デクリメントする（ｊ＝ｊ−１）。そしてステップＳ１７０へ進む。
【００９５】
また、ステップＳ１５１において変数ｊが１である（ｊ＝１）と判別した場合、ステップＳ１６１へ進み、ステップＳ１２３において為された操作が上下の何れの操作であったかを判別する。ここで、下であると判別すると、ステップＳ１６３へ進み、変数ｊを２に設定し、ステップＳ１７０へ進む。
【００９６】
また、ステップＳ１６１において、上であると判別すると、ステップＳ１６５へ進み、現在の変数ｉの値が１であるか（ｉ＝１）否かを判別する。ここで、ＹＥＳと判別するとステップＳ１６７へ進み、変数ｉを６（ｉ＝６）に設定し変数ｊをｅｎｄ（ｊ＝ｅｎｄ）に設定する。そして、ステップＳ１７０へ進む。また、ステップＳ１６５において、ＮＯと判別した場合はステップＳ１６９へ進み、変数ｉを１デクリメント（ｉ＝ｉ―１）し、変数ｊをｅｎｄ（ｊ＝ｅｎｄ）に設定する。そして、ステップＳ１７０へ進む。
【００９７】
ステップＳ１７０において、モニター部４ａにおいて現在保持されている変数ｉに対応するメニューに所属する複数の項目を表示させ、現在の変数ｊに対応する項目を強調表示するカーソルを配置させた後はステップＳ１７１へ進み、現在のカーソルキー８ｅの位置が中立位置か否かを判別する。ここで、カーソルキー８ｅの位置が中立位置でない、すなわち傾いた状態であると判別すると（ＮＯ）、ステップＳ１４９へ戻り、上述した処理を実行する。また、カーソルキー８ｅの位置が中立位置であると判別すると（ＹＥＳ）、ステップＳ１２１へ進み、上述した処理を実行する。
【００９８】
ステップＳ１４９において、変数ｊがｅｎｄである（ｊ＝ｅｎｄ）と判別すると（ＹＥＳ）、ステップＳ１７３へ進み、ステップＳ１２３において為された操作が上下の何れの操作であったかを判別する。ここで、上であると判別すると、ステップＳ１７５へ進み、変数ｊを１デクリメント（ｊ＝ｊ−１）し、ステップＳ１７０へ進む。また、下であると判別するとステップＳ１７７へ進み、現在の変数ｉの値が６である（ｉ＝６）か否かを判別する。
【００９９】
ここで、ＮＯと判別すると、ステップＳ１７９へ進み、変数ｉを１インクリメント（ｉ＝ｉ＋１）し、変数ｊを１（ｊ＝１）に設定し、ステップＳ１７０へ進む。また、ＹＥＳと判別すると、変数ｉを１（ｉ＝１）に設定し、変数ｊを１（ｊ＝１）に設定してステップＳ１７０へ進む。
【０１００】
このように、本実施例による電子カメラ１０では、モニター部４ａにメニュー表示されるノーマルメニュー設定による複数の項目およびシンプルメニュー設定によるノーマルメニュー設定よりも少なくかつ直感的に内容をとらえやすい複数の項目の表示が、モニター部４ａの近傍のメニュー切替スイッチ１２により切り替え操作がなされるため、モニター部４ａでの表示を視野に入れながら、使用者は、各自の使用条件に合った撮像条件または再生条件を確実に且つ極めて容易に設定することができる。
【０１０１】
また、ファインダー部４を図１（ｃ）の状態から図１（ａ）の収納状態に戻すことにより、モニター部４ａ及びメニュー切替スイッチ１２は非露出状態となる。メニュー切替スイッチ１２は本来、モニター部４ａでの表示メニューを切り替えることのみに使用されるために設けられたものであるから、モニター部４ａを使用する必要のないファインダー部４の収納状態においては、メニュー切替スイッチ１２の操作を阻止しており、これにより不要なスイッチ１２への操作は防止され、不要なものを露出させないという点ですっきりとした外観となる。
【０１０２】
また、本実施例による電子カメラ１０では、ノーマルメニューモードにおいて各項目のモード設定をするときに、あるメニューに所属する複数の項目が表示されている状態で例えばカーソルキー８ｅが下方向への長時間操作が行われると、現在表示されている複数の項目のうち、ある項目を強調表示するカーソルを下方向へ１項目ずつ連続的に移動させていき、最下位の項目に達した状況でも長時間操作が継続されている場合には、他のメニューに所属する複数の項目を表示させ、このときカーソルは最上位の項目を強調表示させ、なおも長時間操作が継続されている場合には、カーソルを下方向へ１項目ずつ連続的に移動させるといった処理を長時間操作が終了するまで実行するため、使用者が所望する項目がいずれのメニューにあるかが分からない場合などは、メニューの切替えなどをせずとも、所望の項目に迅速に到達させることができる。また、この長時間操作によるモード設定において、長時間操作を継続させたままにすると、設定可能なすべての項目を見ることができるため、使用者はこの電子カメラ１０にどのような設定項目があるのかを取り扱い説明書を見ずとも、認識することができる。また、使用者がモード設定をするたびに、長時間操作で所望の項目に到達していると、どのメニューにどの項目があるかを学習することができるため、タブを選択することによるモード設定を直接行うことができるようになる。したがって、使用者にとってモード設定方法の幅が広がり、電子カメラ１０の操作に一層柔軟性が生まれる。
【０１０３】
前記実施例では、メニュー切替スイッチ１２によるノーマルメニューモードやシンプルメニューモードへの切り替えは、モニター部４ａに撮像画像または再生画像が表示されている状態から説明しているが、これに限定されるものではなく、例えばノーマルメニューモードにてメニュー表示されている状況からメニュー切替スイッチ１２の操作により、直接シンプルメニューモードへの移行させることも可能である。
【０１０４】
前記実施例では、カーソルキー８ｅは４方向の操作機能と中立位置での中央部の押下げによるセット機能を持たせているが、セット機能については別途、セットボタンを配設することも可能であることは言うまでもない。
【０１０５】
また、前記実施例では、ノーマルメニューモードにおいて各項目のモード設定をするときに、あるメニューに所属する複数の項目が表示されている状態で例えばカーソルキー８ｅが下方向への長時間操作が行われると、長時間操作が終了するまで順次他のメニューに所属する複数の項目を表示させ、カーソルを移動させているが、メニューをグループ化して、グループ化されたメニューに所属する複数の項目を順次カーソル移動させても良い。
【０１０６】
また、前記実施例では、ノーマルメニューモードにおける長時間操作は、カーソルキー８ｅを指で上または下方向に傾けて、中立位置に戻さない状態を継続する操作として定義し、短時間操作はカーソル８ｅを指で上または下方向に短時間、傾けた後に直ぐに中立位置に戻す操作として定義したが、それに限らないことは言うまでもない。例えば、決定するための決定部とその上下左右４方向に配置された４つの操作部が一体になった操作ボタンにおいて、上または下の操作部を長押しすることで長時間操作を実現させるように構成してもよい。
【図面の簡単な説明】
【０１０７】
【図１】本発明の一実施例である電子カメラの外観を示す外観図である。
【図２】本発明の一実施例である電子カメラの他の外観を示す外観図である。
【図３】本発明の一実施例である電子カメラの構成を示すブロック図である
【図４】本発明の一実施例である電子カメラの再生時のノーマルメニュー表示を示す図解図である。
【図５】本発明の一実施例である電子カメラの撮影時のシンプルメニュー表示を示す図解図である。
【図６】本発明の一実施例である電子カメラの再生時のシンプルメニュー表示を示す図解図である。
【図７】本発明の一実施例である電子カメラの動作一部を示すフロー図である。
【図８】本発明の一実施例である電子カメラの動作一部を示すフロー図である。
【図９】本発明の一実施例である電子カメラの撮影時のノーマルメニュー表示を示す図解図である。
【図１０】本発明の一実施例である電子カメラの撮影時のノーマルメニュー間遷移を示す図解図である。
【図１１】本発明の一実施例である電子カメラの動作一部を示すフロー図である。
【図１２】本発明の一実施例である電子カメラの動作一部を示すフロー図である。
【図１３】本発明の一実施例である電子カメラの動作一部を示すフロー図である。
【図１４】本発明の一実施例である電子カメラの動作一部を示すフロー図である。
【図１５】本発明の一実施例である電子カメラの動作一部を示すフロー図である。
【図１６】本発明の一実施例である電子カメラの動作一部を示すフロー図である。
【図１７】本発明の一実施例である電子カメラのメニューの階層を示す図解図である。
【図１８】本発明の一実施例である電子カメラの動作一部を示すフロー図である。
【図１９】本発明の一実施例である電子カメラの動作一部を示すフロー図で・BR> る。
【図２０】本発明の一実施例である電子カメラの動作一部を示すフロー図である。
【図２１】本発明の一実施例である電子カメラの動作一部を示すフロー図である。
【図２２】本発明の一実施例である電子カメラの動作一部を示すフロー図である。
【符号の説明】
【０１０８】
４      …ファインダ部
４ａ    …モニター部
８      …操作部
１２    …メニュー切替スイッチ
１６    …ＣＭＯＳイメージセンサ
１８    …撮像処理部
２２    …ＣＰＵ
２４    …圧縮・伸張処理部
２６    …カード制御部
２８    …外部メモリカード
３０    …ビデオエンコーダ
【図１】
0004900601.tif 000002
【図２】
0004900601.tif 000003
【図３】
0004900601.tif 000004
【図４】
0004900601.tif 000005
【図５】
0004900601.tif 000006
【図６】
0004900601.tif 000007
【図７】
0004900601.tif 000008
【図８】
0004900601.tif 000009
【図９】
0004900601.tif 000010
【図１０】
0004900601.tif 000011
【図１１】
0004900601.tif 000012
【図１２】
0004900601.tif 000013
【図１３】
0004900601.tif 000014
【図１４】
0004900601.tif 000015
【図１５】
0004900601.tif 000016
【図１６】
0004900601.tif 000017
【図１７】
0004900601.tif 000018
【図１８】
0004900601.tif 000019
【図１９】
0004900601.tif 000020
【図２０】
0004900601.tif 000021
【図２１】
0004900601.tif 000022
【図２２】
0004900601.tif 000023